(57)【要約】      （修正有）【課題】蓋体部と注出口との間には空間部を有して該注出口に小蝿等の異物が触れることがなく衛生的に極めて優れた効果を奏し、さらには卓上容器として極めて体裁の良い調味料容器を提供する。【解決手段】有底円筒状に形成されて調味料を貯留する容器本体下部２と、該容器本体下部２の外径と同径の低高環状部の上部に仕切板５が形成されるとともに該仕切板５の部分に注出口６が形成され容器本体下部２の上部に係着される容器本体上部３と、固定蓋部１４及び水平位置に対し所定角度下方に揺動可能に前記固定蓋部１４に枢支された開閉蓋部１５が一体となって容器本体上部３の外径とほぼ同径の環状部及び上面板を備えるとともに開閉蓋部１５は上面板から環状部にかけて形成され容器本体上部３に冠着される蓋体部１３とを有し、容器本体下部２、容器本体上部３及び蓋体部１３全体の所定角度以上傾斜により注出口６から容器本体下部２に貯留された調味料を注出する。【選択図】図１
2013233943.tif 000002
【特許請求の範囲】
【請求項１】
有底円筒状に形成されて調味料を貯留する容器本体下部と、該容器本体下部の外径と同径の低高環状部の上部に仕切板が形成されるとともに該仕切板の部分に注出口が形成され前記容器本体下部の上部に係着される容器本体上部と、固定蓋部及び水平位置に対し所定角度下方に揺動可能に前記固定蓋部に枢支された開閉蓋部が一体となって前記容器本体上部の外径とほぼ同径の環状部及び上面板を備えるとともに前記開閉蓋部は前記上面板から前記環状部にかけて形成され前記容器本体上部に冠着される蓋体部とを有し、前記容器本体下部、前記容器本体上部及び前記蓋体部の全体を前記所定角度以上傾斜させることにより前記注出口から前記容器本体下部に貯留された調味料を注出させるようにしたことを特徴とする調味料容器。
【請求項２】
上記開閉蓋部は、枢支点を間にして該枢支点から一方側の上記上面板から上記環状部にかけて形成された開閉蓋部本体の重量と前記枢支点の他方側に設けられた錘とのバランスにより水平位置に対し所定角度下方に揺動するように構成したことを特徴とする請求項１記載の調味料容器。
【請求項３】
上記開閉蓋部における水平位置から下方に揺動可能とされた所定角度は、ほぼ８°であることを特徴とする請求項１又は２記載の調味料容器。
【請求項４】
上記容器本体上部における上記仕切板の部分には、上記容器本体下部、上記容器本体上部及び上記蓋体部の全体を上記所定角度以上傾斜させてからほぼ水平位置に戻した際に上記開閉蓋部を押し上げて該開閉蓋部を閉止状態にするための蓋押上げ部が突設されていることを特徴とする請求項１，２又は３記載の調味料容器。
【請求項５】
上記注出口は、上記蓋押上げ部の側部の部分に僅かに斜め上方の一方向に向けて形成されるとともに上記開閉蓋部は一方向に向いた前記注出口の方向と同方向の向きにおいて所定角度下方に揺動可能に構成されていることを特徴とする請求項４記載の調味料容器。
【請求項６】
上記開閉蓋部と上記注出口との間には、空間部が形成されていることを特徴とする請求項１，２，３，４又は５記載の調味料容器。
【請求項７】
上記仕切板の部分には、空気抜きが形成されていることを特徴とする請求項１，２，３，４，５又は６記載の調味料容器。
【請求項８】
上記容器本体下部における上端の外周縁部にはおねじが螺刻され、上記容器本体上部における下端の内周縁部にはめねじが螺刻されて前記容器本体下部と容器本体上部とは螺着により係着されていることを特徴とする請求項１，２，３，４，５，６又は７記載の調味料容器。
【発明の詳細な説明】
【技術分野】
【０００１】
本発明は、調味料容器に関するものであり、特に、蓋を取らずに蓋を開け蓋を取らずに蓋を閉めることが可能な例えば醤油差し等として用いられる調味料容器に関するものである。
【背景技術】
【０００２】
従来、例えば、次のような孔の開閉構造および調味料容器が知られている。この従来技術は、調味料が充填された容器本体の頂部から支柱を立設し、該支柱にアームの一端を枢着し、該アームの他端には閉鎖ブロックを取付け、前記容器本体の所定位置には孔を設け、容器本体を立てた状態では前記アームの閉鎖ブロックが前記孔を閉鎖し、容器本体を傾斜させるとアームが回動して閉鎖ブロックが前記孔より開放され内容物を注ぐことができる。したがって、容器本体を傾けたり立てたりすることにより、孔は閉鎖ブロックによって自動的に開閉され、孔の開閉動作といった手間のかかる作業を不要としている（例えば、特許文献１参照）。
【先行技術文献】
【特許文献】
【０００３】
【特許文献１】特開２００３−４０３０５号公報
【発明の概要】
【発明が解決しようとする課題】
【０００４】
特許文献１に記載の従来技術においては、容器本体の頂部から支柱を立設し、該支柱にアームの一端を枢着し、該アームの他端には閉鎖ブロックを取付け、前記容器本体の所定位置に注出孔を設けている。このため、卓上に置く調味料容器として体裁が良いとは云い難い。また、蓋体は無く、容器本体を立てた状態でアームの閉鎖ブロックが注出孔を閉鎖するようにしている。このため、閉鎖時においても注出孔の周囲は外部にほぼ露出しており、この注出孔の周囲に小蝿等の異物が触れるおそれがある。
【０００５】
そこで、蓋を取らずに蓋を開け、蓋を取らずに蓋を閉めることができて蓋の開閉が簡単、容易であり、容器本体内への小蝿等の異物の混入を防止するとともに調味料の酸化を防止し、また蓋体部と注出口との間には空間部を有して該注出口に小蝿等の異物が触れることがなく衛生的に極めて優れた効果を奏し、さらには卓上容器として極めて体裁の良い調味料容器を提供するために解決すべき技術的課題が生じてくるのであり、本発明はこの課題を解決することを目的とする。
【課題を解決するための手段】
【０００６】
本発明は上記目的を達成するために提案されたものであり、請求項１記載の発明は、有底円筒状に形成されて調味料を貯留する容器本体下部と、該容器本体下部の外径と同径の低高環状部の上部に仕切板が形成されるとともに該仕切板の部分に注出口が形成され前記容器本体下部の上部に係着される容器本体上部と、固定蓋部及び水平位置に対し所定角度下方に揺動可能に前記固定蓋部に枢支された開閉蓋部が一体となって前記容器本体上部の外径とほぼ同径の環状部及び上面板を備えるとともに前記開閉蓋部は前記上面板から前記環状部にかけて形成され前記容器本体上部に冠着される蓋体部とを有し、前記容器本体下部、前記容器本体上部及び前記蓋体部の全体を前記所定角度以上傾斜させることにより前記注出口から前記容器本体下部に貯留された調味料を注出させるようにした調味料容器を提供する。
【０００７】
この構成によれば、有底円筒状に形成された容器本体下部と、該容器本体下部の外径と同径の低高環状部を備えた容器本体上部と、該容器本体上部の外径とほぼ同径の環状部及び上面板を備えた蓋体部とで有底、有蓋の円筒状体が構成される。この状態では、注出口は開閉蓋部で閉止されている。所要時に容器本体下部等を把持して前記円筒状体を所定角度以上に傾斜させると蓋体部における開閉蓋部が水平位置に対し所定角度下方に揺動して、この角度位置に固定される。前記円筒状体を所定角度以上に傾斜させても開閉蓋部の揺動角度は前記角度位置に固定されるので、注出口は開閉蓋部から開放されて開き、容器本体下部に貯留された調味料が注出される。
【０００８】
請求項２記載の発明は、請求項１記載の発明において、上記開閉蓋部は、枢支点を間にして該枢支点から一方側の上記上面板から上記環状部にかけて形成された開閉蓋部本体の重量と前記枢支点の他方側に設けられた錘とのバランスにより水平位置に対し所定角度下方に揺動するように構成した調味料容器を提供する。
【０００９】
この構成によれば、開閉蓋部は、枢支点に対し一方側の上面板から環状部、即ち蓋前面部にかけて形成された開閉蓋部本体の重量と、枢支点の他方側に設けられた錘とのバランスで生じる復元力により、容器本体下部、容器本体上部及び蓋体部の全体を所定角度以上に傾斜させても、その揺動角度は水平位置から所定角度に固定される。
【００１０】
請求項３記載の発明は、請求項１又は２記載の発明において、上記開閉蓋部における水平位置から下方に揺動可能とされた所定角度は、ほぼ８°である調味料容器を提供する。
【００１１】
この構成によれば、開閉蓋部における水平位置から下方に揺動可能とされた所定角度をほぼ８°に設定したことで、容器本体下部、容器本体上部及び蓋体部の全体をほぼ８°以上、例えば４５°程度に傾斜させることにより、注出口が確実に開いて、容器本体下部に貯留された調味料が注出される。
【００１２】
請求項４記載の発明は、請求項１，２又は３記載の発明において、上記容器本体上部における上記仕切板の部分には、上記容器本体下部、上記容器本体上部及び上記蓋体部の全体を上記所定角度以上傾斜させてからほぼ水平位置に戻した際に上記開閉蓋部を押し上げて該開閉蓋部を閉止状態にするための蓋押上げ部が突設されている調味料容器を提供する。
【００１３】
この構成によれば、容器本体下部、容器本体上部及び蓋体部の全体を所定角度以上傾斜させて注出口を開き、調味料を注出してから容器本体下部、容器本体上部及び蓋体部の全体をほぼ水平位置に戻すと、開閉蓋部は蓋押上げ部で押し上げられて注出口は確実に閉止状態に設定される。
【００１４】
請求項５記載の発明は、請求項４記載の発明において、上記注出口は、上記蓋押上げ部の側部の部分に僅かに斜め上方の一方向に向けて形成されるとともに上記開閉蓋部は一方向に向いた前記注出口の方向と同方向の向きにおいて所定角度下方に揺動可能に構成されている調味料容器を提供する。
【００１５】
この構成によれば、開閉蓋部を注出口の注出方向と同方向の向きにおいて所定角度下方に揺動可能に構成したことで、開閉蓋部の所定角度下方への揺動で、注出口が開閉蓋部から容易確実に開放されて開口状態に設定される。
【００１６】
請求項６記載の発明は、請求項１，２，３，４又は５記載の発明において、上記開閉蓋部と上記注出口との間には、空間部が形成されている調味料容器を提供する。
【００１７】
この構成によれば、開閉蓋部と注出口との間に空間部が存在することで、該注出口に小蝿等の異物が触れることがなくなる。
【００１８】
請求項７記載の発明は、請求項１，２，３，４，５又は６記載の発明において、上記仕切板の部分には、空気抜きが形成されている調味料容器を提供する。
【００１９】
この構成によれば、調味料が貯留された容器本体下部の上方を仕切っている仕切板の部分に空気抜きを形成したことで容器本体下部に溜った空気が排気され、容器本体下部、容器本体上部及び蓋体部の全体を所定角度以上傾斜させて注出口が開閉蓋部から開放された瞬間に該注出口から調味料の飛沫が発生することが防止される。
【００２０】
請求項８記載の発明は、請求項１，２，３，４，５，６又は７記載の発明において、上記容器本体下部における上端の外周縁部にはおねじが螺刻され、上記容器本体上部における下端の内周縁部にはめねじが螺刻されて前記容器本体下部と容器本体上部とは螺着により係着されている調味料容器を提供する。
【００２１】
この構成によれば、容器本体下部と容器本体上部とは螺着により係着されていることで緊密な取付け態様が得られる。また螺着を解除して容器本体下部を容器本体上部から取り外すことにより、容器本体下部の上部開口部から該容器本体下部内への調味料の注ぎ込みが行われる。
【発明の効果】
【００２２】
請求項１記載の発明は、容器本体下部、容器本体上部及び蓋体部で有底、有蓋の円筒状体となることから卓上容器として極めて体裁の良い調味料容器を提供することができる。この有底、有蓋の円筒状の状態では注出口は開閉蓋部で閉止されているので、容器本体内への小蝿等の異物の混入を防止することができるとともに調味料の酸化を防止することができる。所要時に前記円筒状体を所定角度以上に傾斜させると蓋体部における開閉蓋部が水平位置に対し所定角度下方に揺動し、この角度位置に固定されて注出口が開閉蓋部から開放されて開く。このため、蓋を取らずに蓋を開け、蓋を取らずに蓋を閉めることができて蓋の開閉が簡単、容易になるという利点がある。
【００２３】
請求項２記載の発明は、請求項１記載の発明の効果に加えてさらに、開閉蓋部は、固定蓋部への枢支点に対する一方側の開閉蓋部本体の重量と、枢支点の他方側に設けられた錘とのバランスで生じる復元力により、上記円筒状体を所定角度以上に傾斜させても、その揺動角度は水平位置から所定角度に固定することができるという利点がある。
【００２４】
請求項３記載の発明は、請求項１又は２記載の発明の効果に加えてさらに、開閉蓋部が水平位置に対し下方に揺動する所定角度をほぼ８°に設定したことで、上記円筒状体をほぼ８°以上、例えば４５°程度に傾斜させることにより、注出口が確実に開いて、容器本体下部に貯留された調味料を注出させることができるという利点がある。
【００２５】
請求項４記載の発明は、請求項１，２又は３記載の発明の効果に加えてさらに、注出口を開いて容器本体下部に貯留された調味料を注出させてから上記円筒状体をほぼ水平位置に戻したとき、開閉蓋部を蓋押上げ部で押し上げて注出口を確実に閉止状態に設定することができるという利点がある。
【００２６】
請求項５記載の発明は、請求項４記載の発明の効果に加えてさらに、開閉蓋部を注出口の注出方向と同方向の向きにおいて所定角度下方に揺動可能に構成したことで、開閉蓋部の所定角度下方への揺動で注出口を開閉蓋部から容易確実に開放して開口状態に設定することができるという利点がある。
【００２７】
請求項６記載の発明は、請求項１，２，３，４又は５記載の発明の効果に加えてさらに、開閉蓋部と注出口との間に空間部が存在することで、該注出口に小蝿等の異物が触れることがなく衛生的に極めて優れた効果を発揮させることができるという利点がある。
【００２８】
請求項７記載の発明は、請求項１，２，３，４，５又は６記載の発明の効果に加えてさらに、調味料が貯留された容器本体下部の上方を仕切っている仕切板の部分に空気抜きを形成したことで容器本体下部に溜った空気を排気することができて、上記円筒状体を所定角度以上に傾斜させて注出口が開閉蓋部から開放された瞬間に該注出口から調味料の飛沫発生を防止することができるという利点がある。
【００２９】
請求項８記載の発明は、請求項１，２，３，４，５，６又は７記載の発明の効果に加えてさらに、容器本体下部と容器本体上部とを螺着により係着させたことで緊密な取付け態様を得ることができるとともに螺着を解除して容器本体下部を容器本体上部から取り外すことにより、該容器本体下部内への調味料の注ぎ込みを容易に行うことができるという利点がある。
【図面の簡単な説明】
【００３０】
【図１】本発明の実施例に係る調味料容器を一部断面で示す分解構成図。
【図２】図１の上面図。
【図３】図１の調味料容器の作用を説明するための断面側面図。
【発明を実施するための形態】
【００３１】
本発明は、蓋を取らずに蓋を開け、蓋を取らずに蓋を閉めることができて蓋の開閉が簡単、容易であり、容器本体内への小蝿等の異物の混入を防止するとともに調味料の酸化を防止し、また蓋体部と注出口との間には空間部を有して該注出口に小蝿等の異物が触れることがなく衛生的に極めて優れた効果を奏し、さらには卓上容器として極めて体裁の良い調味料容器を提供するという目的を達成するために、有底円筒状に形成されて調味料を貯留する容器本体下部と、該容器本体下部の外径と同径の低高環状部の上部に仕切板が形成されるとともに該仕切板の部分に注出口が形成され前記容器本体下部の上部に係着される容器本体上部と、固定蓋部及び水平位置に対し所定角度下方に揺動可能に前記固定蓋部に枢支された開閉蓋部が一体となって前記容器本体上部の外径とほぼ同径の環状部及び上面板を備えるとともに前記開閉蓋部は前記上面板から前記環状部にかけて形成され前記容器本体上部に冠着される蓋体部とを有し、前記容器本体下部、前記容器本体上部及び前記蓋体部の全体を前記所定角度以上傾斜させることにより前記注出口から前記容器本体下部に貯留された調味料を注出させるようにしたことにより実現した。
【実施例１】
【００３２】
以下、本発明の好適な実施例を図１乃至図３を参照して説明する。まず、本実施例に係る調味料容器１の構成を説明する。図１及び図２において、有底円筒状に形成されて調味料を貯留する容器本体下部２と、該容器本体下部２の外径と同径の低高環状部の上部に仕切板５が形成されるとともに該仕切板５の部分に注出口６が形成され前記容器本体下部２の上部に係着される容器本体上部３とで容器本体４が構成されている。前記容器本体下部２における上端の外周縁部にはおねじ部７が螺刻され、前記容器本体上部３における下端の内周縁部にはめねじ部８が螺刻されて前記容器本体下部２と容器本体上部３とは螺着により係着されている。該容器本体下部２、容器本体上部３及び後述する蓋体部の材質としてはプラスチック、切子ガラス及びステンレス鋼等が適用できる。
【００３３】
また、容器本体上部３側にはパッキング受部９が環状に凹設されるとともに容器本体下部２側には前記パッキング受部９に対応したパッキング押込み部１０が凸設され、容器本体下部２と容器本体上部３との間には、パッキング受部９に嵌めこまれたＯリング等のパッキング材１１がパッキング押込み部１０で押し込まれることによるシール部が設けられている。
【００３４】
このように、容器本体下部２と容器本体上部３とは、螺着により係着されるとともにこの両者の間にはシール部が設けられていることで取外し可能で、且つ取付け時には緊密な取付け態様が得られている。
【００３５】
容器本体上部３における前記仕切板５は、一方の側方部寄り（図１における左側方部寄り）の部分が盛り上がるように突設され、前記注出口６は該突設部の側部の部分に僅かに斜め上方の一方向に向けて形成されている。また、突設部の背面側の平坦な仕切板５の部分には、調味料を貯留する容器本体下部２に溜った空気を排気するための空気抜き１２が形成されている。
【００３６】
前記容器本体上部３の上方には、該容器本体上部３に螺着もしくは嵌着により冠着される蓋体部１３が設けられている。該蓋体部１３は、固定蓋部１４と水平位置に対し所定角度下方に揺動可能に前記固定蓋部１４に枢支された開閉蓋部１５とが一体となって前記容器本体上部３の外径とほぼ同径の環状部及び上面板を備えるとともに開閉蓋部１５は前記上面板から前記環状部の蓋前面部１５ａにかけて形成されている。該開閉蓋部１５における蓋前面部１５ａの部分は平面視ほぼ扇形に形成されている。また、該開閉蓋部１５は支軸１６の部分で固定蓋部１４に枢支されている。
【００３７】
該開閉蓋部１５は、支軸１６部分の枢支点を間にして該枢支点から一方側の前記上面板から蓋前面部１５ａにかけて形成された開閉蓋部本体の重量と前記枢支点の他方側に設けられた錘１７とのバランスにより水平位置に対し所定角度であるほぼ８°下方に揺動する。また、該開閉蓋部１５は一方向に向いた前記注出口６の方向と同方向の向きにおいて前記所定角度であるほぼ８°下方に揺動可能に構成されている。
【００３８】
調味料容器１は、前記容器本体下部２、容器本体上部３及び蓋体部１３の全体を前記所定角度である８°以上傾斜させることにより前記注出口６から容器本体下部２に貯留された調味料が注出される。そして、注出口６から容器本体下部２に貯留された調味料の注出後、容器本体下部２、容器本体上部３及び蓋体部１３の全体をほぼ水平位置に戻した際に前記開閉蓋部１５を押し上げて該開閉蓋部１５を閉止状態にするための蓋押上げ部５ａが、前記仕切板５部分に形成された前記突設部の頂部により形成されている。開閉蓋部１５の後端に対応した固定蓋部１４の裏面側には蓋止爪１３ａが設けられている。また、開閉蓋部１５と注出口６との間には、空間部が形成されている
次に、図３を用いて上述のように構成された調味料容器１の作用を説明する。有底円筒状に形成された容器本体下部２と、該容器本体下部２の外径と同径の低高環状部を備えた容器本体上部３と、該容器本体上部３の外径とほぼ同径の環状部及び上面板を備えた蓋体部１３とで有底、有蓋の円筒状体が構成される。この状態では、注出口６は開閉蓋部１５で閉止されている。容器本体下部２と容器本体上部３との螺着を解除して容器本体下部２を容器本体上部３から取り外すことにより、容器本体下部２の上部開口部から該容器本体下部２内への調味料の注ぎ込みが行われる。調味料には、醤油等の液体、液体と固体の混合物、粒状体、粉状体その他の流動性を有する全てのものが使用できる。
【００３９】
所要時に容器本体下部２等を把持して前記円筒状体を所定角度以上に傾斜させると蓋体部１３における開閉蓋部１５が水平位置に対し所定角度であるほぼ８°下方に揺動して、この角度位置に固定される。即ち、前述したように、開閉蓋部１５は、枢支点に対し一方側の上面板から蓋前面部１５ａにかけて形成された開閉蓋部本体の重量と、枢支点の他方側に設けられた錘１７とのバランスで生じる復元力により、容器本体下部２、容器本体上部３及び蓋体部１３の全体を所定角度以上に傾斜させても、その揺動角度は水平位置から所定角度であるほぼ８°下方に揺動して、この角度位置に固定される。このため、前記円筒状体を所定角度以上に傾斜させることにより、注出口６は開閉蓋部１５から開放されて開き、容器本体下部２に貯留された調味料が注出される。
【００４０】
開閉蓋部１５における水平位置から下方に揺動可能とされた所定角度をほぼ８°に設定したことで、容器本体下部２、容器本体上部３及び蓋体部１３の全体をほぼ８°以上、例えば４５°程度に傾斜させることにより、注出口６が確実に開いて、容器本体下部２に貯留された調味料が注出される。開閉蓋部１５を注出口６の注出方向と同方向の向きにおいて所定角度である８°下方に揺動可能に構成したことで、開閉蓋部１５の所定角度下方への揺動で、注出口６が開閉蓋部１５から容易確実に開放されて開口状態に設定される。
【００４１】
そして、調味料が貯留された容器本体下部２の上方を仕切っている仕切板５の部分に空気抜き１２を形成したことで容器本体下部２に溜った空気が排気され、容器本体下部２、容器本体上部３及び蓋体部１３の全体を所定角度である８°以上傾斜させて注出口６が開閉蓋部１５から開放された瞬間に該注出口６から調味料の飛沫が発生することが防止される。
【００４２】
容器本体下部２、容器本体上部３及び蓋体部１３の全体を所定角度あるほぼ８°以上傾斜させて注出口６を開き、調味料を注出してから容器本体下部２、容器本体上部３及び蓋体部１３の全体をほぼ水平位置に戻すと、開閉蓋部１５は蓋押上げ部５ａで押し上げられて注出口６は確実に閉止状態に設定される。この閉止状態において開閉蓋部１５と注出口６との間に空間部が存在することで、該注出口６に小蝿等の異物が触れることがなくなる。
【００４３】
上述したように、本実施例に係る調味料容器１においては、容器本体下部２、容器本体上部３及び蓋体部１３で有底、有蓋の円筒状体となることから卓上容器として極めて体裁の良い調味料容器１を提供することができる。この有底、有蓋の円筒状の状態では注出口６は開閉蓋部１５で閉止されているので、容器本体４内への小蝿等の異物の混入を防止することができるとともに調味料の酸化を防止することができる。
【００４４】
容器本体下部２と容器本体上部３とを螺着により係着させるともにシール部が設けられていることで緊密な取付け態様を得ることができるとともに螺着を解除して容器本体下部２を容器本体上部３から取り外すことにより、該容器本体下部２内への調味料の注ぎ込みを容易に行うことができる。
【００４５】
所要時に前記円筒状体を所定角度である８°以上に傾斜させると蓋体部１３における開閉蓋部１５が水平位置に対し所定角度である８°下方に揺動し、この角度位置に固定されて注出口６が開閉蓋部１５から開放されて開く。このため、蓋を取らずに蓋を開け、蓋を取らずに蓋を閉めることができて蓋の開閉が簡単、容易になる。
【００４６】
開閉蓋部１５は、固定蓋部１４への枢支点に対する一方側の開閉蓋部本体の重量と、枢支点の他方側に設けられた錘１７とのバランスで生じる復元力により、上記円筒状体を所定角度である８°以上に傾斜させても、その揺動角度は水平位置から所定角度ある８°に固定することができる。
【００４７】
開閉蓋部１５が水平位置に対し下方に揺動する所定角度をほぼ８°に設定したことで、上記円筒状体をほぼ８°以上、例えば４５°程度に傾斜させることにより、注出口６が確実に開いて、容器本体下部２に貯留された調味料を注出させることができる。
【００４８】
注出口６を開いて容器本体下部２に貯留された調味料を注出させてから上記円筒状体をほぼ水平位置に戻したとき、開閉蓋部１５を蓋押上げ部５ａで押し上げて注出口６を確実に閉止状態に設定することができる。
【００４９】
開閉蓋部１５を注出口６の注出方向と同方向の向きにおいて所定角度である８°下方に揺動可能に構成したことで、開閉蓋部１５の所定角度下方への揺動で注出口６を開閉蓋部１５から容易確実に開放して開口状態に設定することができる。
【００５０】
開閉蓋部１５と注出口６との間に空間部が存在することで、該注出口６に小蝿等の異物が触れることがなく衛生的に極めて優れた効果を発揮させることができる。
【００５１】
調味料が貯留された容器本体下部２の上方を仕切っている仕切板５の部分に空気抜き１２を形成したことで容器本体下部２に溜った空気を排気することができて、上記円筒状体を所定角度である８°以上に傾斜させて注出口６が開閉蓋部１５から開放された瞬間に該注出口６から調味料の飛沫発生を防止することができる。
【００５２】
なお、本発明は、本発明の精神を逸脱しない限り種々の改変をなすことができ、そして、本発明が該改変されたものにも及ぶことは当然である。
【産業上の利用可能性】
【００５３】
蓋を取らずに蓋を開け、蓋を取らずに蓋を閉めることができて蓋の開閉が簡単、容易であり、容器本体内への小蝿等の異物の混入を防止するとともに調味料の酸化を防止し、また蓋体部と注出口との間には空間部を有して該注出口に小蝿等の異物が触れることがなく衛生的に極めて優れた効果を奏し、さらには卓上容器として極めて体裁の良い調味料容器を提供することが不可欠な調味料として液体、粒状体、粉状体、液体と固体の混合物その他の流動性を有する材料を使用した調味料容器に広く適用することが可能である。
【符号の説明】
【００５４】
１    調味料容器
２    容器本体下部
３    容器本体上部
４    容器本体
５    仕切板
５ａ  蓋押上げ部
６    注出口
７    おねじ部
８    めねじ部
９    パッキング受部
１０    パッキング押込み部
１１    パッキング材
１２    空気抜き
１３    蓋体部
１３ａ  蓋止爪
１４    固定蓋部
１５    開閉蓋部
１５ａ  蓋前面部
１６    支軸
１７    錘
【図１】
2013233943.tif 000003
【図２】
2013233943.tif 000004
【図３】
2013233943.tif 000005